(57)【要約】【課題】機器認証コードが外部に漏洩する機会を減らすことで不正解錠を抑制し、セキュリティを向上させる。【解決手段】操作盤７から制御部３に解錠指令を送信して電気錠２を解錠動作させるとき、操作盤７は、解錠指令に、制御部３の機器認証コードを付加して制御部３に送信する。制御部３は、解錠指令に付加された機器認証コードについて照合処理を行い、その機器認証コードが真正な機器認証コードである場合に限り、電気錠２を解錠動作させる。操作盤７と制御部３との間の通信において、解錠指令以外の指令が通信されるときには、当該指令には機器認証コードは付加されない。これにより、電気錠システム１を構成しない他の機器によって機器認証コードが取得される機会が減少し、機器認証コードの外部への漏洩が抑制される。【選択図】図１
2011196058.tif 000002
【特許請求の範囲】
【請求項１】
電気錠と、前記電気錠を制御する制御部と、前記制御部を介して前記電気錠を操作する操作部とを備え、前記制御部と前記操作部との間で定期的に双方向通信を行い、当該定期的双方向通信を利用して前記制御部と前記操作部との間で指令の伝達を行う電気錠システムであって、
前記操作部は、
機器認証コードを記憶する第１のコード記憶手段と、
前記指令が特定指令であるときには当該特定指令に前記第１のコード記憶手段に記憶された機器認証コードを付加し、当該機器認証コードが付加された当該特定指令を機器認証コード付き指令として送信し、一方、前記指令が前記特定指令でないときには当該指令に前記機器認証コードを付加せずに当該指令を機器認証コードなし指令として送信する指令送信手段とを備え、
前記制御部は、
前記機器認証コードを記憶する第２のコード記憶手段と、
前記機器認証コード付き指令を受信したときには、受信した当該機器認証コード付き指令における特定指令に付加された機器認証コードと前記第２のコード記憶手段に記憶された機器認証コードとを比較する照合処理を行い、両者が一致したときには当該機器認証コード付き指令における特定指令を受け入れ、両者が一致しなかったときには当該機器認証コード付き指令における特定指令を拒絶し、一方、前記機器認証コードなし指令を受信したときには、受信した当該機器認証コードなし指令を前記照合処理を行うことなく受け入れる指令受信手段とを備えていることを特徴とする電気錠システム。
【請求項２】
前記特定指令は、前記電気錠を解錠動作させるための解錠指令であることを特徴とする請求項１に記載の電気錠システム。
【請求項３】
前記制御部は前記電気錠と共に筐体に収容され、前記電気錠と共に施錠対象物または施錠対象物の近傍に取り付けられていることを特徴とする請求項１または２に記載の電気錠システム。
【発明の詳細な説明】
【技術分野】
【０００１】
本発明は、電気錠、制御部および操作部を備え、操作部からの指令に従って制御部により電気錠を制御する電気錠システムに関する。
【背景技術】
【０００２】
一般に、電気錠システムは、建造物の扉等を施錠する電気錠と、電気錠を制御する制御部と、制御部を介して電気錠を操作する操作部とを備えている（特許文献１参照）。電気錠はソレノイドまたはモータ等を備え、制御部から出力される制御信号に従ってソレノイドまたはモータ等を駆動させることにより扉等の施解錠を行う。制御部は、操作部からの指令に従って電気錠を施解錠動作させるための制御信号を電気錠に出力する。
【０００３】
操作部は、屋内に設けられ、操作スイッチや表示器等を有し、屋内にいる者が操作スイッチを押したとき、電気錠を施解錠動作させるための指令を制御部に送信する。また、屋外において扉または扉の近傍に設けられ、カードリーダ、電波受信機、またはテンキー等を有し、ＩＣカード、携帯機器等から送信された認証情報を受信したとき、またはテンキー等により暗証番号が入力されたときに、電気錠を施解錠動作させるための指令を制御部に送信する機能を有するものも操作部に含まれる。
【０００４】
制御部と操作部とは互いに離れた位置に配置され、両者はケーブル等を用いて電気的に接続されており、両者間の通信はこのケーブル等を介して行われる。多くの場合、制御部が操作部に向けて短い周期で定期的に問い合わせを行い、操作部がこの問い合わせに対して返答する。例えば、屋内にいる者が電気錠を解錠動作させるために操作部の操作スイッチを押した場合、操作部は、制御部からの問い合わせに対する返答として、電気錠を解錠動作させる指令を制御部に送信する。制御部はこの指令に応じ、電気錠を解錠動作させるための制御信号を電気錠に出力する。これにより、電気錠は扉等を解錠する。
【先行技術文献】
【特許文献】
【０００５】
【特許文献１】特開２００９−０４４５２４号公報
【発明の概要】
【発明が解決しようとする課題】
【０００６】
ところで、制御部と操作部との間で通信を行うときには、常に互いに機器認証を行い、互いに真正な機器であることを確認し合う。例えば、制御部には固有な機器認証コードが付加され、操作部にも固有な機器認証コード（制御部の機器認証コードと同じものでもよい）が付加される。そして、制御部が有するメモリには操作部の機器認証コードが記憶され、操作部が有するメモリには制御部の機器認証コードが記憶される。制御部から操作部へ送信される問い合わせ信号には常に制御部の機器認証コードが付加され、問い合わせ信号を受信した操作部は、問い合わせ信号に付加された制御部の機器認証コードと、自らのメモリに記憶された制御部の機器認証コードとを照合し、両者が一致したときに限り、当該問い合わせを受け入れる。同様に、操作部から制御部へ送信される返答信号や指令にも常に操作部の機器認証コードが付加され、返答信号や指令を受信した制御部は、返答信号や指令に付加された操作部の機器認証コードと、自らのメモリに記憶された操作部の機器認証コードとを照合し、両者が一致したときに限り、当該返答信号や指令を受け入れる。
【０００７】
このように、制御部と操作部との間で互いに常に機器認証を行うことにより、電気錠システムのセキュリティを高めることができる。例えば、制御部と操作部との間を接続しているケーブル等に、当該電気錠システムを構成する機器ではない他の機器（以下、これを「外部機器」という。）を接続し、当該外部機器から制御部に指令を送信し、これにより電気錠を解錠動作させようとしても、当該外部機器は真正な機器認証コードを有していないため、当該外部機器からの指令は制御部により拒絶される。この結果、制御部の機器認証コードを知らない限り、外部機器が操作部になりすまして制御部を操作し、電気錠を不正に解錠動作させることはできない。
【０００８】
しかしながら、制御部と操作部との間で通信される問い合わせ信号、返答信号および指令には常に機器認証コードが付加されている。このため、上述したように、制御部と操作部との間を接続しているケーブル等に外部機器を接続し、制御部から送信される問い合わせ信号や、操作部から送信される返答信号・指令と共に機器認証コードを当該外部機器により受信することができる。そして、このような手段で受信した機器認証コードを用いることで、当該外部機器は操作部になりすますことができ、制御部を操作して、電気錠を不正に解錠動作させることができてしまう。もちろん、機器認証コードを暗号化する等の措置を講じることにより、このような不正な行為を抑制することができるが、かかる不正行為の一層の抑制を図るためには、外部機器が機器認証コードを受信する機会自体、すなわち機器認証コードが外部に漏洩する機会自体を減らすことが望ましい。
【０００９】
本発明は例えば上述したような問題に鑑みなされたものであり、本発明の課題は、機器認証コードが外部に漏洩する機会を減らすことで不正解錠を抑制し、セキュリティを向上させることができる電気錠システムを提供することにある。
【課題を解決するための手段】
【００１０】
上記課題を解決するために、本発明の第1の電気錠システムは、電気錠と、前記電気錠を制御する制御部と、前記制御部を介して前記電気錠を操作する操作部とを備え、前記制御部と前記操作部との間で定期的に双方向通信を行い、当該定期的双方向通信を利用して前記制御部と前記操作部との間で指令の伝達を行う電気錠システムであって、前記操作部は、機器認証コードを記憶する第１のコード記憶手段と、前記指令が特定指令であるときには当該特定指令に前記第１のコード記憶手段に記憶された機器認証コードを付加し、当該機器認証コードが付加された当該特定指令を機器認証コード付き指令として送信し、一方、前記指令が前記特定指令でないときには当該指令に前記機器認証コードを付加せずに当該指令を機器認証コードなし指令として送信する指令送信手段とを備え、前記制御部は、前記機器認証コードを記憶する第２のコード記憶手段と、前記機器認証コード付き指令を受信したときには、受信した当該機器認証コード付き指令における特定指令に付加された機器認証コードと前記第２のコード記憶手段に記憶された機器認証コードとを比較する照合処理を行い、両者が一致したときには当該機器認証コード付き指令における特定指令を受け入れ、両者が一致しなかったときには当該機器認証コード付き指令における特定指令を拒絶し、一方、前記機器認証コードなし指令を受信したときには、受信した当該機器認証コードなし指令を前記照合処理を行うことなく受け入れる指令受信手段とを備えていることを特徴とする。
【００１１】
本発明の第１の電気錠システムによれば、機器認証コードが付加された指令が操作部から制御部へ送信されるのは、その指令が特定指令のときだけであるので、操作部から制御部へ送信される情報が不正に取得されて機器認証コードが読み取られる機会を減らすことができ、セキュリティを高めることができる。
【００１２】
また、本発明の第２の電気錠システムは、上述した本発明の第１の電気錠システムにおいて、前記特定指令は、前記電気錠を解錠動作させるための解錠指令であることを特徴とする。
【００１３】
本発明の第２の電気錠システムによれば、解錠指令に機器認証コードを付加することにより、外部から不正な手段で制御部に解錠指令を入力して電気錠を解錠動作させることを防止できると共に、解錠指令のみに機器認証コードを付加することにより、機器認証コードが付加された指令が操作部から制御部へ送信される頻度を減らすことができ、機器認証コードの外部への漏洩を抑制してセキュリティを高めることができる。
【００１４】
また、本発明の第３の電気錠システムは、上述した第１または第２の電気錠システムにおいて、前記制御部は前記電気錠と共に筐体に収容され、前記電気錠と共に施錠対象物または施錠対象物の近傍に取り付けられていることを特徴とする。
【００１５】
本発明の第３の電気錠システムによれば、制御部と電気錠とを共に筐体に収容することにより、電気錠が不正な手段で外部から制御されることを抑制することができる。この結果、操作部と制御部との間においては、特定指令のみに機器認証コードを付加することにより機器認証コードの外部への漏洩を抑制することができ、制御部と電気錠との間においては両者を共に筐体に収容することにより電気錠の外部からの不正な制御を抑制することができるので、総合的に見て、電気錠システムにおけるセキュリティを向上させることができる。
【発明の効果】
【００１６】
本発明によれば、操作部から制御部へ送信する指令が特定指令でない場合には、当該指令に機器認証コードを付加しないことにより、機器認証コードが外部に漏洩する機会を減らすことができる。したがって、不正解錠を抑制し、セキュリティを向上させることができる。
【図面の簡単な説明】
【００１７】
【図１】本発明の実施形態による電気錠システムを示す説明図である。
【図２】操作盤と制御部との間の通信を示すタイミングチャートである。
【図３】解錠操作がされたときの操作盤と制御部との間の通信を示すタイミングチャートである。
【図４】施錠操作がされたときの操作盤と制御部との間の通信を示すタイミングチャートである。
【発明を実施するための形態】
【００１８】
以下、本発明の実施形態について添付図面を参照しながら説明する。図１は本発明の実施形態による電気錠システムを示している。図１において、本発明の実施形態による電気錠システム１は、電気錠２および制御部３を共に筐体４に収容することにより構成された電気錠ユニット５と、カードリーダユニット６と、操作盤７とを備えている。電気錠システム１は、カードリーダユニット６または操作盤７からの指令に従って制御部３により電気錠２を制御し、例えば建造物の扉８を施錠するシステムである。
【００１９】
電気錠２はデッドボルト１１および錠駆動機構１２を備え、錠駆動機構１２は、制御部３から出力される制御信号に従って駆動するソレノイドまたはモータを備えている。
【００２０】
制御部３は、ＣＰＵ（Ｃｏｎｔｒｏｌ  Ｐｒｏｃｅｓｓｉｎｇ  Ｕｎｉｔ）１５、メモリ１６、通信インタフェース（Ｉ／Ｆ）部１７および制御インタフェース部１８を備え、カードリーダユニット６および操作盤７からの指令に従って電気錠２を制御する装置である。
【００２１】
ＣＰＵ１５は、制御部３を構成する他の構成要素１６〜１８の制御、カードリーダユニット６および操作盤７との通信制御、および電気錠２の施解錠制御等を行うと共に、後述するように、特定指令に付加された機器認証コードの照合処理を行う。メモリ１６は例えばＲＯＭ（Ｒｅａｄ  Ｏｎｌｙ  Ｍｅｍｏｒｙ）等の不揮発性メモリである。制御部３には固有の機器認証コードが割り当てられており、メモリ１６には、この制御部３の機器認証コードが記憶されている。さらに、メモリ１６には、カードリーダユニット６の機器認証コードおよび操作盤７の機器認証コードが記憶されている。通信インタフェース部１７は、制御部３とカードリーダユニット６との間、および制御部３と操作盤７との間を通信可能に接続するインタフェース回路である。制御インタフェース部１８は、制御部３から電気錠２へ制御信号を伝達するために両者間を接続するインタフェース回路である。また、制御部３は電気錠２と共に共通の筐体４に収容されている。そして、筐体４は扉８の内部または扉８における屋内側の表面に取り付けられている。なお、ＣＰＵ１５が指令受信手段の具体例であり、メモリ１６が第２のコード記憶手段の具体例である。
【００２２】
カードリーダユニット６は、ＣＰＵ２１、メモリ２２、カードリーダ２３および通信インタフェース部２４を備えている。カードリーダユニット６は、屋外から扉８の施解錠を操作する装置である。すなわち、カードリーダユニット６は、鍵として機能するＩＣカードから鍵認証コードを読み取り、この読み取った鍵認証コードと、内部のメモリ２２に予め記憶された鍵認証コードとを照合し、両者が一致した場合に限り、電気錠２を施解錠動作させるための指令等を制御部３に送信する。
【００２３】
ＣＰＵ２１は、カードリーダユニット６を構成する他の構成要素２２〜２４の制御、制御部３および操作盤７との通信制御、ＩＣカードから読み取られた鍵認証コードの照合処理、扉８の施解錠状態を認識して制御部３に施錠指令と解錠指令とのどちらを送信するかを決定する処理等を行う。メモリ２２は例えばＲＯＭ等の不揮発性メモリであり、メモリ２２には鍵認証コードが記憶されている。また、カードリーダユニット６には固有の機器認証コードが割り当てられており、この機器認証コードは、当該カードリーダユニット６のメモリ２２、制御部３のメモリ１６、および操作盤７のメモリ３２にそれぞれ記憶されている。通信インタフェース部２３は、カードリーダユニット６と制御部３との間、およびカードリーダユニット６と操作盤７との間を通信可能に接続するインタフェース回路である。また、カードリーダユニット６は例えば扉８における屋外側の表面に取り付けられている。
【００２４】
操作盤７は、ＣＰＵ３１、メモリ３２、操作インタフェース部３３および通信インタフェース部３４を備えている。操作盤７は、屋内から扉８の施解錠を操作する装置である。すなわち、屋内にいる者が操作盤７に設けられた操作スイッチ（図示せず）を押すと、操作盤７は、これに応じて、電気錠２を施解錠動作させるための指令等を制御部３に送信する。また、操作盤７は、扉８の施解錠状態等を表示する表示部（図示せず）を有し、屋内にいる者に扉の施解錠状態等を確認させる機能を持っている。なお、操作盤７が操作部の具体例である。
【００２５】
ＣＰＵ３１は、操作盤７を構成する他の構成要素３２〜３４等の制御、制御部３およびカードリーダユニット６との通信制御、扉８の施解錠状態の表示制御等を行う。メモリ３２は例えばＲＯＭ等の不揮発性メモリである。操作盤７には固有の機器認証コードが割り当てられており、この機器認証コードは、当該操作盤７のメモリ３２、制御部３のメモリ１６、およびカードリーダユニット６のメモリ２２にそれぞれ記憶されている。操作インタフェース部３３は、操作盤７に設けられた図示しない操作スイッチとＣＰＵ３１との間を接続し、操作スイッチの操作入力をＣＰＵ３１に伝達するためのインタフェース回路である。通信インタフェース部３４は、操作盤７と制御部３との間、および操作盤７とカードリーダユニット６との間を通信可能に接続するインタフェース回路である。また、操作盤７は例えば屋内の壁面等に取り付けられている。なお、ＣＰＵ３１が指令送信手段の具体例であり、メモリ３２が第１のコード記憶手段の具体例である。
【００２６】
制御部３、カードリーダユニット６および操作盤７は、それぞれ相互に通信可能となるようにケーブル９を介して接続されている。また、制御部３と電気錠２とは筐体４内において相互に電気的に接続されている。
【００２７】
このような構成を有する電気錠システム１は次のように動作する。まず、屋内からの施解錠動作について説明すると、屋内にいる者が、操作盤７の操作スイッチを押し、扉８を施錠する旨の指示を入力すると、操作盤７は施錠指令を制御部３に送信する。施錠指令を受信した制御部３は施錠制御信号を電気錠２に出力し、電気錠２は施錠制御信号に従ってデッドボルト１１を外部へ突き出させ、扉８を施錠する。一方、屋内にいる者が、操作盤７の操作スイッチを押し、扉８を解錠する旨の指示を入力すると、操作盤７は解錠指令を制御部３に送信し、制御部３は解錠制御信号を電気錠２に出力し、電気錠２は解錠制御信号に従ってデッドボルト１１を内部へ引き込み、扉８を解錠する。
【００２８】
次に、屋外からの施解錠動作について説明すると、屋外にいる者が、鍵として機能するＩＣカードをカードリーダ２４に接近させ、または接触させると、カードリーダユニット６は、扉８の施解錠状態に応じて施錠指令または解錠指令を制御部３に送信する。施錠指令または解錠指令を受信した制御部３は施錠制御信号または解錠制御信号を電気錠２に出力し、電気錠２は施錠制御信号または解錠制御信号に従って扉８を施錠または解錠する。
【００２９】
図２ないし図４は、制御部３と操作盤７との間における指令等の通信動作を示している。これより、図２ないし図４を参照しながら、制御部３と操作盤７との間における指令等の通信について詳細に説明する。図２に示すように、制御部３と操作盤７とは、操作盤７が制御部３へ問い合わせ信号を送信し、これに応じて、制御部３が操作盤７へ返答信号を送信するといった双方向通信を、例えばおよそ０．５秒ないし１秒の短い間隔Ｔで定期的に常時行っている。操作盤７から制御部３へ送るべき指令その他の情報があるときには、操作盤７は、問い合わせ信号に、当該送るべき指令その他の情報を付加して制御部３に送信する。また、制御部３から操作盤７へ送るべき指令その他の情報があるときには、制御部３は、返答信号に、当該送るべき指令その他の情報を付加して操作盤７に送信する。
【００３０】
ここで、操作盤７から制御部３へ送信される指令には、特定指令と、特定指令でない指令とがある。以下、特定指令と特定指令でない指令とを識別して説明する必要がある場合には、特定指令でない指令を「通常指令」という。
【００３１】
操作盤７から制御部３へ送るべき指令が特定指令であるときには、操作盤７は、当該指令にメモリ３２に記憶された操作盤７の機器認証コードを付加することにより、機器認証コード付き指令を生成する。そして、操作盤７は、問い合わせ信号に、当該機器認証コード付き指令を付加して制御部３に送信する。
【００３２】
そして、制御部３は、問い合わせ信号と共に機器認証コード付き指令を受信したとき、当該機器認証コード付き指令における特定指令に付加された機器認証コードと、制御部３のメモリ１６に記憶された操作盤７の機器認証コードとを比較する照合処理を行う。そして、この照合処理の結果、双方の機器認証コードが一致したときに、制御部３は、当該機器認証コード付き指令における特定指令を受け入れ、操作盤７へ返答信号を送信すると共に、当該特定指令に従った処理を実行する。
【００３３】
一方、制御部３における照合処理の結果、操作盤７から受信した機器認証コード付き指令における特定指令に付加された機器認証コードと、制御部３のメモリ１６に記憶された操作盤７の機器認証コードとが一致しないときには、制御部３は、当該機器認証コード付き指令における特定指令の受け入れを拒絶する。この場合、制御部３は、操作盤７へ返答信号を送信するも、当該特定指令に従った処理は実行しない。また、機器認証コードが付加されていない特定指令を操作盤７から受信した場合にも、制御部３は当該特定指令の受け入れを拒絶する。
【００３４】
より具体的に説明すると、電気錠システム１では、電気錠２を解錠動作させるための解錠指令を特定指令として扱うように設定されている。したがって、図３に示すように、操作盤７から制御部３へ解錠指令を送るときには、操作盤７は、解錠指令にメモリ３２に記憶された操作盤７の機器認証コードを付加して機器認証コード付き指令を生成し、この機器認証コード付き指令を問い合わせ信号に付加して制御部３に送信する。そして、問い合わせ信号と共に機器認証コード付き指令を受信した制御部３は、当該機器認証コード付き指令における解錠指令に付加された機器認証コードと、制御部３のメモリ１６に記憶された操作盤７の機器認証コードとを比較する照合処理を行う。この結果、両者が一致したとき、制御部３は、当該機器認証コード付き指令における解錠指令を受け入れ、操作盤７へ返答信号を送信し、続いて、当該解錠指令に従って、電気錠２を解錠動作させる制御を行う。一方、制御部３における照合処理の結果、操作盤７から受信した機器認証コード付き指令における解錠指令に付加された機器認証コードと、制御部３のメモリ１６に記憶された操作盤７の機器認証コードとが一致しないとき、制御部３は、当該機器認証コード付き指令における解錠指令の受け入れを拒絶する。この場合、制御部３は、操作盤７へ返答信号を送信するも、電気錠２を解錠動作させる制御は行わない。また、機器認証コードが付加されていない解錠指令を操作盤７から受信した場合にも、制御部３は当該解除指令の受け入れを拒絶する。
【００３５】
一方、操作盤７から制御部３へ送るべき指令が通常指令であるときには、操作盤７は、問い合わせ信号に、当該送るべき通常指令を付加して制御部３に送信する。このとき、操作盤７は、通常指令に機器認証コードを付加しない。すなわち、通常指令は、機器認証コードなし指令として問い合わせ信号と共に制御部３に送信される。そして、制御部３は、問い合わせ信号と共に通常指令（機器認証コードなし指令）を受信したときには、照合処理を行わず、直ちに、通常指令を受け入れ、操作盤７へ返答信号を送信すると共に、当該通常指令に従った処理を実行する。
【００３６】
より具体的に説明すると、電気錠システム１では、電気錠２を施錠動作させるための施錠指令を通常指令として扱うように設定されている。したがって、図４に示すように、操作盤７から制御部３へ施錠指令を送信するときには、操作盤７は、問い合わせ信号に施錠指令を付加して制御部３に送信する。そして、問い合わせ信号と共に施錠指令を受信した制御部３は、照合処理を行うことなく、施錠指令を受け入れ、操作盤７へ返答信号を送信すると共に、当該施錠指令に従って電気錠２を施錠動作させる制御を行う。
【００３７】
以上説明した通り、本発明の実施形態による電気錠システム１によれば、操作盤７から制御部３へ送信する指令が特定指令でない場合には、当該指令に機器認証コードを付加しないことにより、機器認証コードが外部に漏洩する機会を減らすことができる。したがって、不正解錠を抑制し、セキュリティを向上させることができる。
【００３８】
特に、特定指令を、電気錠２を解錠動作させるための解錠指令に限定し、操作盤７から制御部３に送信する指令が解錠指令でない場合には、当該指令に機器認証コードを付加しないことで、機器認証コードが外部に漏洩する機会をより一層減らすことができ、不正解錠のより一層の抑制を実現でき、セキュリティをさらに向上させることができる。
【００３９】
例えば、制御部３と操作盤７との間を接続しているケーブル９等に、当該電気錠システム１を構成する機器ではない他の機器（外部機器）を接続し、制御部３と操作盤７との間で通信される情報を当該外部装置により受信し、その情報に含まれる機器認証コードを不正に取得しようと試みても、操作盤７から制御部３へ送信される機器認証コード付き指令を当該外部装置により受信しない限り、機器認証コードを取得することができない。したがって、当該外部機器により機器認証コードを取得することは困難である。特に、特定指令が解錠指令のみである場合には、機器認証コード付き指令は、解除操作が行われるときにしか送信されないので、当該外部機器により機器認証コードを取得することは極めて困難である。
【００４０】
また、少なくとも操作盤７から制御部３に送信される解錠指令に機器認証コードを付加し、制御部３における機器認証コードの照合処理の結果、受信した解錠指令に付加された機器認証コードが真正な機器認証コードでない場合には、解錠制御を行わない構成とすることにより、上述したような外部機器が操作盤７になりすまして制御部３を制御し、電気錠２を不正に解錠させてしまうことを効果的に抑制することができる。
【００４１】
すなわち、セキュリティの向上を効果的に図るためには不正解錠の抑制が重要である。この点、本発明の実施形態による電気錠システム１によれば、解錠指令に機器認証コードを付加することにより、なりすましによる不正解錠を抑制することができる。ところが、電気錠システム内における複数の装置間で通信される多数の指令に機器認証コードを付加し、または複数の装置間で頻繁に発せられる指令に機器認証コードを付加した場合には、機器認証コードの外部への漏洩により、なりすましによる不正解錠を許してしまう危険性がある。この点、本発明の実施形態による電気錠システム１では、機器認証コードの付加を、頻繁に発せられることのない解錠指令に限定することで、機器認証コードの外部への漏洩を抑制することができ、それゆえ、なりすましによる不正解錠を許してしまう危険性を少なくすることができる。
【００４２】
また、制御部３と電気錠２の錠駆動機構１２とを共に筐体４に収容することにより、電気錠２が不正な手段で外部から制御されることを効果的に抑制することができ、これにより、電気錠システム１におけるセキュリティを向上させることができる。
【００４３】
なお、上述した実施形態では、操作盤７から制御部３へ送信される指令を特定指令と通常指令とに分類し、操作盤７から制御部３へ送信される特定指令（特に解錠指令）のみに機器認証コードを付加する場合を例にあげたが、本発明はこれに限らない。すなわち、制御部３から操作盤７へ送信される指令を特定指令と通常指令とに分類し、制御部３から操作盤７へ送信される特定指令のみに機器認証コードを付加してもよい。具体的には、制御部３から操作盤７へ特定指令を送信するときには、制御部３のメモリ１６に記憶された制御部３の機器認証コードを当該特定指令に付加することにより機器認証コード付き指令を生成し、この機器認証コード付き指令を返答信号と共に操作盤７へ送信し、一方、制御部３から操作盤７へ通常指令を送信するときには、当該通常指令に機器認証コードを付加せず、機器認証コードなし指令として返答信号と共に操作盤７へ送信してもよい。この場合、操作盤７は、制御部３から機器認証コード付き指令を受信したときに限り、当該機器認証コード付き指令における特定指令に付加されている機器認証コードと、操作盤７のメモリ３２に記憶された制御部３の機器認証コードとを照合し、両者が一致したときに限り、当該機器認証コード付き指令における特定指令を受け入れるようにする。
【００４４】
また、制御部３とカードリーダユニット６との間における指令等の通信にも、図２ないし図４に示す制御部３と操作盤７との間における指令等の通信と同様の方法を適用することができる。この場合、カードリーダユニット６が操作部の具体例となる。さらに、屋外から扉８の施解錠を操作する装置は、カードリーダユニット６に限らない。例えば、指紋、網膜、声紋等の人体の特徴を認証する生体認証（バイオメトリクス認証）を行って施解錠指令を出力する生体認証ユニット、特定の情報が含まれる電波を携帯端末等から受信して施解錠指令を出力する無線通信ユニット、テンキーを備え、真正な暗証番号がテンキーによって入力されたときに施解錠指令を出力するテンキー入力ユニット等の他のユニットを操作部として、カードリーダユニット６に代えて適用することも可能である。そして、このような他のユニットを適用した場合にも、当該他のユニットと制御部３との間における指令等の通信に、図２ないし図４に示す制御部３と操作盤７との間における指令等の通信と同様の方法を適用することができる。
【００４５】
また、上述した実施形態では、制御部３、カードリーダユニット６および操作盤７のそれぞれに、相互に異なる固有の機器認証コードを割り当てる場合を例に挙げたが、本発明はこれに限らない。電気錠システム１に単一の機器認証コードを割り当て、制御部３、カードリーダユニット６および操作盤７間における特定指令の通信に、この単一の機器認証コードを用いてもよい。
【００４６】
また、電気錠ユニット５やカードリーダユニット６は必ずしも扉８に取り付けなくてもよい。また、本発明は、電気錠２と制御部３とをユニット化しないタイプの電気錠システムにも適用することができる。また、本発明は、屋外から扉の施解錠を行う際に、シリンダに鍵を挿入して行うタイプの電気錠システムにも適用することができる。
【００４７】
また、本発明は、請求の範囲および明細書全体から読み取ることのできる発明の要旨または思想に反しない範囲で適宜変更可能であり、そのような変更を伴う電気錠システムもまた本発明の技術思想に含まれる。
【符号の説明】
【００４８】
１  電気錠システム
２  電気錠
３  制御部
４  筐体
５  電気錠ユニット
７  操作盤（操作部）
８  扉
１５  ＣＰＵ（指令受信手段）
１６  メモリ（第２のコード記憶手段）
３１  ＣＰＵ（指令送信手段）
３２  メモリ（第１のコード記憶手段）
【図１】
2011196058.tif 000003
【図２】
2011196058.tif 000004
【図３】
2011196058.tif 000005
【図４】
2011196058.tif 000006